(57)【要約】      （修正有）【課題】展示されている商品に興味を持った利用者が、その商品に関する情報をメモ書きまたは記憶する必要がない、商品宣伝用ショーケースを提供する。【解決手段】商品宣伝用ショーケースは、その前面に、透明液晶パネルから構成されている窓１２と、操作部１６と、カード排出口１８とを有し、その内部には、展示物１４を収納する、前記窓に隣接して配置される複数の商品収納ケース２５と、回転駆動部と、前記回転駆動部を回転させるモータと、前記複数の商品収納ケースと前記回転駆動部とを接続するアームと、前記赤外線通信による携帯電話との情報の転送を可能にする赤外線通信部２０と、カードに情報を印刷するプリンタと、全ての機器を制御する制御部２８とを有する。【選択図】    図１
2004290214.tif 000002
【特許請求の範囲】
【請求項１】
その前面に、透明液晶パネルから構成されている窓（１２）と、操作部（１６）とが設けられていて、その内部には、前記窓に隣接して配置される展示物（１４）を収納する少なくとも１個の商品収納ケース（２５）と、赤外線通信による携帯電話との情報の転送を可能にする赤外線通信部（２０）と、全ての機器を制御する制御部（２８）とが設けられている、商品宣伝用ショーケース（８）であって、前記展示物（１４）に関する情報を前記透明液晶パネルに表示し、かつ利用者の要求に応じて、少なくとも前記情報の一部を、前記赤外線通信部（２０）により携帯電話に転送する、商品宣伝用ショーケース。
【請求項２】
前記展示物（１４）に関する前記情報の少なくとも一部をカードに印刷するプリンタ（１９）と、前記カードを排出させるカード排出口（１８）とを有する請求項１に記載の商品宣伝用ショーケース。
【請求項３】
前記情報の一部が、前記展示物の販売業者のＵＲＬであることを特徴とする請求項１または２に記載の商品宣伝用ショーケース。
【請求項４】
その前面に、透明液晶パネルから構成されている窓（１２）と、操作部（１６）とが設けられていて、その内部には、展示物（１４）を収納する、前記窓に隣接して配置される複数の商品収納ケース（２５）と、回転駆動部（２２）と、前記回転駆動部（２２）を回転させるモータと、前記複数の商品収納ケース（２６ａ−ｆ）と前記回転駆動部（２２）とを接続するアーム（２４）と、前記赤外線通信による携帯電話との情報の転送を可能にする赤外線通信部（２０）と、全ての機器を制御する制御部（２８）とが設けられている、商品宣伝用ショーケース（１０）  であって、前記展示物（１４）に関する情報を前記透明液晶パネルに表示し、かつ利用者の要求に応じて、少なくとも前記情報の一部を、前記赤外線通信部（２０）により携帯電話に転送する商品宣伝用ショーケース。
【請求項５】
前記展示物（１４）に関する前記情報の少なくとも一部をカードに印刷するプリンタ（１９）と、前記情報を排出させるカード排出口（１８）とを有する請求項４に記載の商品宣伝用ショーケース。
【請求項６】
前記情報の一部が、前記展示物の販売業者のＵＲＬであることを特徴とする請求項４または５に記載の商品宣伝用ショーケース。
【請求項７】
前記回転駆動部（２２）により、前記複数の商品収納ケース（２６ａ−ｆ）  の各々が、窓（１２）の位置に一定時間配置されるように回転する請求項４〜６の何れかに記載の商品宣伝用ショーケース。
【請求項８】
前記操作部（１６）から商品収納ケース（２６ａ−ｆ）を特定する信号を入力することにより、特定の商品収納ケース（２６ａ−ｆ）が、窓（１２）の位置に配置される請求項４〜８の何れかに記載の商品宣伝用ショーケース。
【請求項９】
その前面に、透明液晶パネルから構成されている窓（１２）と、操作部（１６）とが設けられていて、その内部には、前記窓に隣接して配置される展示物（１４）を収納する少なくとも１個の商品収納ケース（２５）と、全ての機器を制御する制御部（２８）とが設けられている、商品宣伝用ショーケース（８）であって、前記展示物（１４）に関する情報を前記透明液晶パネルに表示し、かつ利用者の要求に応じて、前記展示物（１４）に関する秘密情報を、二次元バーコードにより表示する、商品宣伝用ショーケース。
【請求項１０】
前記秘密情報を、前記透明液晶パネルに表示する、請求項９に記載の商品宣伝用ショーケース。
【請求項１１】
制御部（２８）に液晶表示部（３０）を設け、かつ前記秘密情報を、前記液晶表示部（３０）に表示する、請求項９に記載の商品宣伝用ショーケース。
【請求項１２】
前記秘密情報を、ボード（３６）に表示する、請求項９に記載の商品宣伝用ショーケース。
【請求項１３】
前記透明液晶パネルに表示される前記情報の一部が、前記展示物の販売業者のＵＲＬであることを特徴とする請求項９〜１２の何れかに記載の商品宣伝用ショーケース。
【請求項１４】
前記透明液晶パネルに表示される前記情報の少なくとも一部をカードに印刷するプリンタ（１９）と、前記情報を排出させるカード排出口（１８）とを有する請求項９〜１３の何れかに記載の商品宣伝用ショーケース。
【請求項１５】
その前面に、透明液晶パネルから構成されている窓（１２）と、操作部（１６）とが設けられていて、その内部には、展示物（１４）を収納する、前記窓に隣接して配置される複数の商品収納ケース（２５）と、回転駆動部（２２）と、前記回転駆動部（２２）を回転させるモータと、前記複数の商品収納ケース（２６ａ−ｆ）と前記回転駆動部（２２）とを接続するアーム（２４）と、全ての機器を制御する制御部（２８）とが設けられている、商品宣伝用ショーケース（１０）  であって、前記展示物（１４）に関する情報を前記透明液晶パネルに表示し、かつ利用者の要求に応じて、前記展示物（１４）に関する秘密情報を、二次元バーコードにより表示する、商品宣伝用ショーケース。
【請求項１６】
前記秘密情報を、前記透明液晶パネルに表示する、請求項１５に記載の商品宣伝用ショーケース。
【請求項１７】
制御部（２８）に液晶表示部（３０）を設け、かつ前記秘密情報を、前記液晶表示部（３０）に表示する、請求項１５に記載の商品宣伝用ショーケース。
【請求項１８】
前記秘密情報を、ボード（３６）に表示する、請求項１５に記載の商品宣伝用ショーケース。
【請求項１９】
前記透明液晶パネルに表示される前記情報の少なくとも一部をカードに印刷するプリンタ（１９）と、前記情報を排出させるカード排出口（１８）とを有する請求項１６〜１８に記載の商品宣伝用ショーケース。
【請求項２０】
前記透明液晶パネルに表示される前記情報の一部が、前記展示物の販売業者のＵＲＬであることを特徴とする請求項１６〜１９の何れかに記載の商品宣伝用ショーケース。
【請求項２１】
前記回転駆動部（２２）により、前記複数の商品収納ケース（２６ａ−ｆ）  の各々が、窓１２の位置に一定時間配置されるように回転する請求項１６〜２０の何れかに記載の商品宣伝用ショーケース。
【請求項２２】
前記操作部（１６）から商品収納ケース（２６ａ−ｆ）を特定する信号を入力することにより、特定の商品収納ケース（２６ａ−ｆ）が、窓（１２）の位置に配置される請求項１６〜２１の何れかに記載の商品宣伝用ショーケース。
【発明の詳細な説明】
【０００１】
【発明の属する技術分野】
本発明は、駅、デパート、スーパーマーケット、アミューズメントセンタなどの公共の場に設置して、商品を宣伝するための商品宣伝用ショーケースに関する。
【０００２】
【従来の技術】
これに類似するものとしては、特開２０００−１４６により、展示ケース（以下、「従来の展示ケース」と称する）が、公知である。図５により、この従来の展示ケース１を説明する。展示物１０を収納するほぼ立方体状の商品収納ケース２が、台座３上に置かれていて、商品収納ケース２の上面部には、商品収納ケース２内部を照らす照光部５が設けられている。商品収納ケース２の４つの側面部には、商品収納ケース２の液晶パネル４ａ〜４ｄが設けられている。この液晶パネル４ａ〜４ｄにより、収納された展示物１０の説明が、カラーの動画等を用いて表示される。そして、この液晶パネル４ａ〜４ｄが非動作時には、これは透明になるので、利用者は、内部に収納されている展示物１０を液晶パネル４ａ〜４ｄを介して透視することが出来る。したがって、利用者は、展示された展示物１０から視線をそらすことなく、液晶パネル４ａ〜４ｄに表示されている情報を得ることが可能となる。
【０００３】
【発明が解決しようとする課題】
近年、インターネットショッピングが盛んになってきているが、コンピュータのモニタ上に映される情報では、不十分で、実際に商品を見て確かめたいと言う要求が有る。そのため、通常、利用者は、実際にその商品の販売店に行って、その商品を確かめようとするが、営業時間中には販売店に行くことが困難な利用者にとっては、駅などの公共的な場所に設置されているショーケースにより、関心のある商品を確かめられれば、便利である。また、このような公共的な場所に設置されているショーケースは、販売者にとって、非常に有力な宣伝媒体になる。
【０００４】
特開２０００−１４６に開示されている展示ケース１は、このような状況に使用することが出来る。この従来の展示ケース１においては、展示物１０に関する情報が、液晶パネル４ａ〜４ｄに表示される。ブランド物のハンドバッグが展示物１０として、展示してあって、利用者がそのハンドバッグに興味を持った場合、利用者は、液晶パネル４ａ〜４ｄからさらなる情報を得ようとする。その情報が、販売店の電話番号またはインターネットのＵＲＬのような記憶しておくことが困難な情報であった場合、利用者は、これらの情報をメモする必要があった。もし、その利用者が、メモするための筆記用具などを所持していない場合、またはわざわざメモを取るのが面倒であると感じる場合、その利用者は、電話番号やＵＲＬなどをメモすることはしないであろう。このことは、ある利用者が、ある商品に興味を抱いたにも関わらず、利用者が筆記用具を持ち合わせていないなどの理由で、販売者が、せっかくの商機を失なってしまうことを意味する。
【０００５】
従って、本発明の目的は、展示されている商品に興味を持った利用者が、その商品に関する情報をメモ書きまたは記憶する必要がない、商品宣伝用ショーケースを提供することである。
【０００６】
【課題を解決するための手段】
上記目的は、その前面に、透明液晶パネルから構成されている窓と、操作部とが設けられていて、その内部には、前記窓に隣接して配置される展示物を収納する少なくとも１個の商品収納ケースと、赤外線通信による携帯電話との情報の転送を可能にする赤外線通信部と、全ての機器を制御する制御部とが設けられている、商品宣伝用ショーケースであって、前記展示物に関する情報を前記透明液晶パネルに表示し、かつ利用者の要求に応じて、少なくとも前記情報の一部を、前記赤外線通信部により携帯電話に転送する、商品宣伝用ショーケースにより、達成される。利用者は、透明液晶パネルを介して見える展示物と透明液晶パネルに表示されるその展示物に関する情報を参照して、その展示物に興味を持った場合、自己の携帯電話の赤外線通信機能により、その展示物の販売業者のＵＲＬ等の情報を取得することが出来る。
【０００７】
上記目的は、その前面に、透明液晶パネルから構成されている窓と、操作部とが設けられていて、その内部には、展示物を収納する、前記窓に隣接して配置される複数の商品収納ケースと、回転駆動部と、前記回転駆動部を回転させるモータと、前記複数の商品収納ケースと前記回転駆動部とを接続するアームと、前記赤外線通信による携帯電話との情報の転送を可能にする赤外線通信部と、全ての機器を制御する制御部とが設けられている、商品宣伝用ショーケース  であって、前記展示物に関する情報を前記透明液晶パネルに表示し、かつ利用者の要求に応じて、少なくとも前記情報の一部を、前記赤外線通信部により携帯電話に転送する商品宣伝用ショーケースによっても達成される。
【０００８】
利用者は、透明液晶パネルを介して、一定時間ごとに展示される複数の展示物を見て、かつ透明液晶パネルに表示されるその展示物に関する情報を参照して、その展示物に興味を持った場合、自己の携帯電話の赤外線通信機能により、その展示物の販売業者のＵＲＬ等の情報を取得することが出来る。また、携帯電話を所持していない利用者は、操作部から印刷命令の信号を入力することにより、ＵＲＬ等の情報が印刷されたカードを入手する事が出来る。
【０００９】
前記操作部から商品収納ケースを特定する信号を入力することにより、特定の商品収納ケースが、窓の位置に配置される前記商品宣伝用ショーケースの場合には、利用者は、一定時間ごとに回転移動している商品収納ケースの動きを止めて、所望の商品が展示されている商品収納ケースを即座に窓の位置に配置させることが出来る。
【００１０】
前記展示物に関する前記情報の少なくとも一部をカードに印刷するプリンタと、前記カードを排出させるカード排出口とを有する前記商品宣伝用ショーケースの場合、携帯電話を所持していない利用者でも、操作部から印刷命令の信号を入力することにより、ＵＲＬ等の情報が印刷されたカードを入手する事が出来る。
【００１１】
また、展示物に関する秘密情報を二次元バーコードにより液晶画面に表示させ、これをカメラ付き携帯電話で撮影し、携帯電話の内蔵ソフトウェアにより二次元バーコードにより表示されている秘密情報を解読することも出来る。これを実現する商品宣伝用ショーケースは、その前面に、透明液晶パネルから構成されている窓と、操作部とが設けられていて、その内部には、前記窓に隣接して配置される展示物を収納する少なくとも１個の商品収納ケースと、全ての機器を制御する制御部とが設けられている、商品宣伝用ショーケースであって、前記展示物に関する情報を前記透明液晶パネルに表示し、かつ利用者の要求に応じて、前記展示物に関する秘密情報を、二次元バーコードにより前記透明液晶パネルまたは操作部に設けた液晶表示部に表示する。このような前記商品宣伝用ショーケースの場合には、利用者を差別化し、特定の利用者に特別のサービスを提供することが出来る。
【００１２】
【実施例】
実施例１
図１により、本発明の商品宣伝用ショーケースの第一実施例を説明する。このショーケース８の形状は、直方体で、その前面には、図１Ａに示されるように、窓１２と、キーボードからなる操作部１６と、カード排出口１８とが設けられている。ショーケース８の内部には、図１Ｂに示されるように、展示物１４を収納する商品収納ケース２５と、赤外線通信部２０と、カードに情報を印刷するプリンタ１９と、ショーケース８内の全ての機器を制御する制御部２８とが設けられている。窓１２は、テクノブレーンズ株式会社から商品名「クリスタルミュー」で販売されているような、透明液晶パネルから構成されている。この透明液晶パネルは、従来の展示ケースの液晶パネルとは異なり、動作中でも、透明を保つ。赤外線通信部２０は、赤外線通信による携帯電話との情報の転送を可能にするために設けてある。
【００１３】
次に、この商品宣伝用ショーケース８の動作を説明する。ショーケース８は、駅、飛行場、デパート、スーパー、アミューズメントセンタなどの公共の場に設置される。商品収納ケース２５には、展示物１４（例、ハンドバック）が展示されている。その展示物に関する情報（例、販売業者の連絡先、商品の説明、価格）は、制御部２８のメモリ内に格納されていて、それは、読み出されて、透明液晶パネルに表示される。
【００１４】
このような公共の場で待ち合わせをしている人が、このショーケース８に展示されているハンドバッグのような展示物１４に興味を持った場合、この利用者は、窓１２に表示されるハンドバッグ１４に関する情報を読むと同時に、窓１２を介して、ハンドバッグ１４の実物を見ることが出来る。もし、この利用者が、展示されているハンドバックを購入したいと考える場合には、販売業者の住所、電話番号、ホームページのＵＲＬなどをメモしておく必要がある。本発明の商品宣伝用ショーケース８の場合には、利用者は、自己の携帯電話を赤外線通信部２０に向けて、赤外線通信を行うことにより、このような情報を、即時に携帯電話に取り込むことが出来る。利用者は、自宅に帰って、赤外線通信により携帯電話からＵＲＬ  のような情報を自宅のパーソナルコンピュータに転送し、転送されたＵＲＬ等により、容易に販売業者のホームページに辿り着くことが出来る。さらに、利用者は、その場で、入手したＵＲＬ等を用いて、携帯電話により容易に販売業者のホームページに行くことが出来る。また、その入手したＵＲＬ等を友人のパーソナルコンピュータまたは携帯電話に転送することも可能である。
【００１５】
二次元バーコードにより秘密情報を書き込んでおくことにより、カメラ付き携帯電話を所持する利用者は、その二次元バーコードを撮影し、携帯電話に内蔵されている解読ソフトにより秘密情報を得ることが出来る。その秘密情報の例としては、秘密の番号がある。二次元バーコード読みとり機能を備えた携帯電話を所持する利用者のみが、その秘密の番号を入手することが可能で、その秘密の番号を入手した利用者は、その番号を提示することにより、特に有利なディスカウント価格で商品を購入することが出来る。
【００１６】
携帯電話を持ち合わせていない人が、ハンドバッグ１４に興味を持った場合には、操作部１６から印刷命令信号を入力する。すると、上記展示物に関するＵＲＬなどの情報が、プリンタ１９によりカードに印刷され、そのカードはカード排出口１８から排出される。利用者は、そのカードを自宅に持ち帰り、カードに印刷されているＵＲＬ等により自宅のパーソナルコンピュータから販売業者のホームページに辿り着くことが出来る。
【００１７】
販売店の電話番号またはインターネットのＵＲＬのような記憶しておくことが困難な情報であって、利用者が、メモするための筆記用具などを所持していない場合、またはわざわざメモを取るのが面倒であると感じる場合であっても、本発明の商品宣伝用ショーケースによれば、利用者は、販売業者の電話番号やＵＲＬなどの情報を瞬時に、携帯電話に読み込み、またはそれらの情報が印刷されたカードを得ることが出来る。このように、展示されている商品に興味を抱いた利用者は、容易に販売業者の電話番号やＵＲＬなどの情報を入手し、かつそのＵＲＬを用いてコンピュータまたは携帯電話により販売業者のホームページに行き、その商品を購入しようとするので、この商品宣伝用ショーケースによる商品の宣伝・販売効果は、従来の展示ケースによる商品を展示するのみの場合に比較し、格段に大きなものとなる。
【００１８】
実施例２
図２Ａ，  ２Ｂ，  ２Ｃにより、本発明の商品宣伝用ショーケースの第二実施例を説明する。このショーケース１０の形状は、直方体で、その前面には、図２Ａに示されるように、窓１２と、操作部１６と、カード排出口１８とが設けられている。ショーケース１０の内部には、図２Ｂに示されるように、展示物１４を収納する６個の商品収納ケース２６ａ−ｆと、赤外線通信部２０と、カードに情報を印刷するプリンタ１９と、ショーケース１０内の全ての機器を制御する制御部２８とが設けられている。窓１２および赤外線通信部２０には、実施例１のそれと同様なものが使用されている。この実施例においては、６個の商品収納ケース２６ａ−ｆが設けられていて、これらはアーム２４により回転駆動部２２に結合されている。回転駆動部２２は、図示されていないモータによって駆動される。
【００１９】
図２Ａ〜Ｃに示されるこの実施例の場合、窓１２には、商品収納ケース２６ａが位置しているので、利用者は、窓１２を介して商品収納ケース２６ａに収納されているハンドバッグ１４を見ることが出来る。商品収納ケース２６ａが、窓１２の位置にある状態が３０秒間経過すると、６個の商品収納ケース２６ａ−ｆ  は時計方向に回転し、商品収納ケース２６ｂが窓１２に位置した状態で、停止する。この停止状態の時間、つまり一商品の展示時間は、３０秒間である。これにより、利用者は、３０秒間商品収納ケース２６ｂ  に収納されている商品を見ることが出来る。このようにして、３０秒ごとに、６個の商品収納ケース２６ａ−ｆに収容されている商品が、次々に、展示される。利用者が、窓１２から見えているハンドバッグ１４をゆっくり見たいときには、操作部１６からストップ信号を入力すると、商品収納ケース２６ａ−ｆ  はストップ信号の入力後１分間その位置を保つ。したがって、利用者は、ハンドバッグ１４をさらに１分間見ることが出来る。また、操作部１６からスキップ信号を入力することにより、利用者は、商品収納ケース２６ａ−ｆを展示時間が経過する前に回転させて、次の商品を見ることが出来る。さらに、６個の商品収納ケース２６ａ−ｆの各々に割り当てられた番号１〜６の何れかを入力することにより、利用者は、見たい商品が収納されている商品収納ケースを窓１２に位置させることが出来る。制御部１６からの入力信号に応じて、６個の商品収納ケース２６ａ−ｆを回転させることは、制御部２８により行われる。
【００２０】
利用者が、この商品宣伝用ショーケース１０から販売業者の電話番号やＵＲＬなどの情報を入手する方法は、実施例１で述べた方法と同じである。
【００２１】
この実施例においては、商品収納ケースの数は６個であるが、これを４個、８個など他の数に出来ることは言うまでもない。
【００２２】
実施例３
図３により、本発明の商品宣伝用ショーケースの第三実施例を説明する。この実施例の商品宣伝用ショーケース３２は、第一実施例のそれの変形例で、赤外線通信部２０を有せず、操作部１６には、大画面の液晶表示部３０が設けられていて、かつ商品宣伝用ショーケース３２の正面にボード３６が設けられている。これ以外の構成においては、第三実施例の商品宣伝用ショーケース３２と第一実施例の商品宣伝用ショーケース８とは相違しない。ボード３６には、展示物１４の、価格、特徴、販売者の住所、電話番号などの情報が、表示されている。
【００２３】
この商品宣伝用ショーケース３２の場合、大画面の液晶表示部３０には、利用者が操作部１６により入力する情報のみならず、情報展示物１４に関する情報の一部も表示される。有利なディスカウント価格で商品を購入することが出来るなどの二次元バーコードにより表示される秘密情報は、透明液晶パネルからなる窓１２、大画面の液晶表示部３０および／またはボード３６に表示することが出来る。カメラ付き携帯電話を所持する利用者は、その表示された二次元バーコードを撮影すると、カメラ付き携帯電話に内蔵されているデコーダにより、二次元バーコードの内容が解読され、その秘密情報を得ることが出来る。その秘密情報の例としては、秘密の番号がある。二次元バーコード読みとり機能を備えた携帯電話を所持する利用者のみが、その秘密の番号を入手することが可能で、その秘密の番号を入手した利用者は、その番号を提示することにより、有利なディスカウント価格で商品を購入することが出来る。
【００２４】
実施例４
図４により、本発明の商品宣伝用ショーケースの第四実施例を説明する。この実施例の商品宣伝用ショーケース３４は、第二実施例のそれの変形例で、赤外線通信部２０を有せず、かつ操作部１６には、大画面の液晶表示部３０が設けられていて、かつ商品宣伝用ショーケース３４の正面にボード３６が設けられている。これ以外の構成においては、第四実施例の商品宣伝用ショーケース３４と第二実施例の商品宣伝用ショーケース１０とは相違しない。ボード３６には、各展示物１４の、価格、特徴、販売者の住所、電話番号などの情報が、表示されている。
【００２５】
この実施例の商品宣伝用ショーケース３４の場合にも、第三実施例の場合と同様に、カメラ付き携帯電話を所持する利用者は、二次元バーコードにより表示されている秘密情報を得ることが出来る。
【００２６】
【発明の効果】
販売店の電話番号またはインターネットのＵＲＬのような記憶しておくことが困難な情報であって、利用者が、メモするための筆記用具などを所持していない場合、またはわざわざメモを取るのが面倒であると感じる状況においても、本発明の商品宣伝用ショーケースによれば、利用者は、販売業者の電話番号やＵＲＬなどの情報を瞬時に、携帯電話に読み込み、またはそれらの情報が印刷されたカードを得ることが出来る。このように、展示されている商品に興味を抱いた利用者は、容易に販売業者の電話番号やＵＲＬなどの情報を入手し、かつそのＵＲＬを用いてコンピュータまたは携帯電話により販売業者のホームページに行き、その商品を購入しようとするので、このショーケースによる商品の宣伝・販売効果は、従来の展示ケースによる商品を展示するのみの場合に比較し、格段に大きなものとなる。
【００２７】
また、インターネットショッピングのみでは、実際の商品が確認できないので、商品の購入に不安を感じる利用者は、公共の場に設置してある本発明の商品宣伝用ショーケースを利用することにより、実際の商品の確認を行うことが出来る。
【００２８】
さらに、二次元バーコード用いて、秘密情報を利用者に提供することも可能であるので、特別バーゲンの提供と言うような秘密情報を二次元バーコードにより透明液晶パネル、操作部の液晶表示部またはボードに表示させた商品宣伝用ショーケースの場合には、利用者は、カメラ付き携帯電話によりそれを瞬時に撮影し、撮影画像から容易に秘密情報を解読することができる。今や、カメラ付き携帯電話は広く普及しているので、この商品宣伝用ショーケースは、秘密情報を利用した販売戦略に対し、大きな力になり、本発明の商品宣伝用ショーケースを利用する販売業者は、多種多様な販売戦略を採用することが出来る。
【図面の簡単な説明】
【図１】Ａは、本発明の第一実施例の商品宣伝用ショーケースの正面図で、Ｂは、その内部を左側面から示した図である。
【図２Ａ】本発明の第二実施例の商品宣伝用ショーケースの正面図である。
【図２Ｂ】本発明の第二実施例の商品宣伝用ショーケースの内部を正面から示した図である。
【図２Ｃ】本発明の第二実施例の商品宣伝用ショーケースの内部を左側面から示した図である。
【図３】Ａは、本発明の第三実施例の商品宣伝用ショーケースの正面図で、Ｂは、その内部を左側面から示した図である。
【図４】本発明の第四実施例の商品宣伝用ショーケースの正面図である。
【図５】従来の展示ケースを示す。
【符号の説明】
８  商品宣伝用ショーケース
１０  商品宣伝用ショーケース
１２  窓
１４  展示物
１６  操作部
１８  カード排出口
１９  プリンタ
２０  赤外線通信部
２２  回転駆動部
２４  アーム
２５  商品収納ケース
２６ａ−ｆ  商品収納ケース
２８  制御部
３０  液晶表示部
３２  商品宣伝用ショーケース
３４  商品宣伝用ショーケース
３６  ボード
【図１】
2004290214.tif 000003
【図２Ａ】
2004290214.tif 000004
【図２Ｂ】
2004290214.tif 000005
【図２Ｃ】
2004290214.tif 000006
【図３】
2004290214.tif 000007
【図４】
2004290214.tif 000008
【図５】
2004290214.tif 000009